【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
対向する２枚の基板間に液晶を狭持してなる液晶表示セル、その両側にそれぞれ設けられた偏光素子、及び、少なくとも一方の液晶表示セルと偏光素子との間の領域に設けられた少なくとも１つのフィルム状部材を有する液晶表示装置であって、
該偏光素子は、ヨウ素又は二色性染料が吸着配向されたポリビニルアルコール系樹脂フィルムからなり、
該フィルム状部材は、偏光素子に対して厚さ１０μｍ未満の粘着層及び／又は接着層を介して貼合されており、かつ他のフィルム状部材と貼合される場合には、他のフィルム状部材に対しても厚さ１０μｍ未満の粘着層及び／又は接着層を介して貼合されており、
該液晶表示装置は、少なくとも一方の液晶表示セルと偏光素子との間の領域のフィルム状部材が、光弾性係数の絶対値が１０×１０−８ｃｍ２／Ｎ未満、及び、吸水率が２．０％未満を満たす
ことを特徴とする液晶表示装置。
【請求項２】
前記液晶表示装置は、液晶表示セルの観察面側基板に対して法線方向のコントラスト比をＣＲ（０）、方位角Φ方向における該法線方向から６０°傾いた方向のコントラスト比をＣＲ（Φ，６０）と定義したときに、Φ＝０〜３６０°の全ての方位角において、ＣＲ（Φ，６０）／ＣＲ（０）≧０．０２５を満たすことを特徴とする請求項１記載の液晶表示装置。
【請求項３】
前記偏光素子に対して貼合されたフィルム状部材は、複屈折性を示す保護フィルムであることを特徴とする請求項１又は２記載の液晶表示装置。
【請求項４】
前記液晶表示装置は、少なくとも液晶表示セルの背面側基板と背面側偏光素子との間の領域に、光弾性係数の絶対値が１０×１０−８ｃｍ２／Ｎ未満、及び、吸水率が２．０％未満のフィルム状部材のみが設けられたことを特徴とする請求項１〜３のいずれかに記載の液晶表示装置。
【請求項５】
前記液晶表示装置は、観察面側偏光素子の液晶表示セル側に第一の保護フィルムが、観察面側に第二の保護フィルムが、背面側偏光素子の液晶表示セル側に第三の保護フィルムが、背面側に第四の保護フィルムが、それぞれ厚さ１０μｍ未満の粘着層及び／又は接着層を介して貼合されていることを特徴とする請求項１〜４のいずれかに記載の液晶表示装置。
【請求項６】
前記液晶表示装置は、第一の保護フィルムと第二の保護フィルムとの組み合わせ、及び、第三の保護フィルムと第四の保護フィルムとの組み合わせの少なくとも一方が透湿度の異なる樹脂からなることを特徴とする請求項５記載の液晶表示装置。
【請求項７】
前記液晶表示装置は、下記式（１）及び下記式（２）のうち、少なくとも一方を満たすことを特徴とする請求項６記載の液晶表示装置。
第一の保護フィルムの透湿度＜第二の保護フィルムの透湿度      （１）
第三の保護フィルムの透湿度＜第四の保護フィルムの透湿度      （２）
【請求項８】
前記液晶表示セルは、大方の液晶分子が基板に対して略垂直に配向し、面内位相差が略ゼロの状態で黒表示を行うものであり、
前記液晶表示装置は、下記式（３）により補正済み厚み方向位相差Ｒを定義したときに、第一の保護フィルムの補正済み厚み方向位相差Ｒ１と、第三の保護フィルムの補正済み厚み方向位相差Ｒ３と、黒表示状態での液晶表示セルの補正済み厚み方向位相差Ｒｌｃとが、下記式（４）の関係を満たす
ことを特徴とする請求項５〜７のいずれかに記載の液晶表示装置。
Ｒ＝（１．３−０．６×ｎａ）×Ｒｘｚ＋（０．７−０．３×ｎａ）×Ｒｘｙ  （３）
式（３）中、ｎａは波長５５０ｎｍの光に対する平均屈折率を表し、Ｒｘｚは波長５５０ｎｍの光に対する厚み方向位相差を表し、Ｒｘｙは波長５５０ｎｍの光に対する面内方向位相差を表す。
０ｎｍ≦Ｒ１＋Ｒ３−Ｒｌｃ≦３５ｎｍ      （４）
【請求項９】
前記第一及び第三の保護フィルムのうち、少なくとも補正済み厚み方向位相差が大きい方は、光弾性係数の絶対値が１０×１０−８ｃｍ２／Ｎ未満であることを特徴とする請求項５〜８のいずれかに記載の液晶表示装置。
【請求項１０】
前記第一及び第三の保護フィルムのうち、少なくとも補正済み厚み方向位相差が大きい方は、吸水率が２．０％未満であることを特徴とする請求項５〜９のいずれかに記載の液晶表示装置。
【請求項１１】
前記第一〜第四の保護フィルムのうち、少なくとも１つは、透湿度が１００ｇ／ｍ２・２４ｈｒ以下であることを特徴とする請求項５〜１０のいずれかに記載の液晶表示装置。
【請求項１２】
前記第一及び第三の保護フィルムのうち、少なくとも１つは、透湿度が１００ｇ／ｍ２・２４ｈｒ以下であることを特徴とする請求項１１記載の液晶表示装置。
【請求項１３】
前記第一〜第四の保護フィルムのうち、少なくとも１つは、ノルボルネン系樹脂からなるものであることを特徴とする請求項５〜１２のいずれかに記載の液晶表示装置。
【請求項１４】
前記液晶表示装置は、保護フィルムと隣接する偏光素子の吸収軸方向の最大幅が、該方向における液晶表示装置の表示有効領域の最大幅よりも大きいことを特徴とする請求項５〜１３のいずれかに記載の液晶表示装置。
【請求項１５】
前記液晶表示装置は、ベゼルを有し、かつ、保護フィルムと隣接する偏光素子の吸収軸方向の最大幅が、該方向におけるベゼルの開口領域の最大幅よりも大きいことを特徴とする請求項５〜１３のいずれかに記載の液晶表示装置。
【請求項１６】
前記液晶表示装置は、保護フィルムと隣接する偏光素子の吸収軸方向と交わる外周端面が、撥水性のシール剤により被覆されていることを特徴とする請求項５〜１３のいずれかに記載の液晶表示装置。
【請求項１７】
偏光素子とフィルム状部材とを有するフィルム付き偏光素子であって、
該偏光素子は、ヨウ素又は二色性染料が吸着配向されたポリビニルアルコール系樹脂フィルムからなり、
該フィルム状部材は、偏光素子に対して厚さ１０μｍ未満の粘着層及び／又は接着層を介して貼合されており、かつ他のフィルム状部材と貼合される場合には、他のフィルム状部材に対しても厚さ１０μｍ未満の粘着層及び／又は接着層を介して貼合されており、
該フィルム状部材、又は、他のフィルム状部材と貼合される場合には該フィルム状部材及び他のフィルム状部材の少なくとも一つは、光弾性係数の絶対値が１０×１０−８ｃｍ２／Ｎ未満、及び、吸水率が２．０％未満を満たすことを特徴とするフィルム付き偏光素子。
【請求項１８】
前記偏光素子に対して貼合されたフィルム状部材は、複屈折性を示すことを特徴とする請求項１７記載のフィルム付き偏光素子。
【請求項１９】
前記フィルム付き偏光素子は、偏光素子の両側にフィルム状部材が貼合されたものであり、
該偏光素子の一方の側に貼合されたフィルム状部材と他方の側に貼合されたフィルム状部材とは、透湿度が異なる樹脂からなることを特徴とする請求項１７又は１８記載のフィルム付き偏光素子。
【請求項２０】
前記偏光素子の液晶表示セル側に貼合されたフィルム状部材は、偏光素子の他方の側に貼合されたフィルム状部材よりも透湿度が小さいことを特徴とする請求項１９記載のフィルム付き偏光素子。
【請求項２１】
前記偏光素子に対して貼合されたフィルム状部材の少なくとも一方は、透湿度が１００ｇ／ｍ２・２４ｈｒ以下であることを特徴とする請求項１９又は２０記載のフィルム付き偏光素子。
【請求項２２】
前記偏光素子に対して貼合されたフィルム状部材の少なくとも一方は、ノルボルネン系樹脂からなるものであることを特徴とする請求項１７〜２１のいずれかに記載のフィルム付き偏光素子。
【請求項２３】
前記偏光素子は、外周端面のうち吸収軸方向と交わる外周端面が撥水性のシール剤により被覆されたものであることを特徴とする請求項１７〜２２のいずれかに記載のフィルム付き偏光素子。
【請求項２４】
請求項１７〜２３のいずれかに記載のフィルム付き偏光素子を備えることを特徴とする液晶表示装置。